(57)【要約】【課題】楽な姿勢で洗髪等ができ、持ち運びを簡単にして使用場所の制約を少なくすることのできるシャンプー台を提供する。【解決手段】使用者の略下向きにした顔の周囲が当接する支持縁部２の外側に、上記支持縁部２と一体に洗浄水等の受け凹部３が設けられ、上記支持縁部２の内側に下方に開口する開口部２１が設けられている。こうすることにより、使用者の頭部の重みが支持縁部２で受けとめられ、頚部にかかる負担が軽微なものとなる。したがって、車椅子等に座ったままで洗髪等が楽な姿勢で行なうことが可能となる。【選択図】図３
2006055485.tif 000002
【特許請求の範囲】
【請求項１】
使用者の略下向きにした顔の周囲が当接する支持縁部の外側に、上記支持縁部と一体に洗浄水等の受け凹部が設けられ、上記支持縁部の内側に下方に開口する開口部が設けられていることを特徴とするシャンプー台。
【請求項２】
使用者の肩や背中への液はねを防止する液はね防止壁が略起立した状態で設けられている請求項１記載のシャンプー台。
【請求項３】
上記シャンプー台の高さおよび／または傾斜角度を調整できる支持ユニットを備え、シャンプー台の一部と支持ユニットの上部にそれぞれ設けた係合構造部を介してシャンプー台を上記支持ユニットに載置できるよう構成されている請求項１または２記載のシャンプー台。
【発明の詳細な説明】
【技術分野】
【０００１】
本発明は、使用者の顔を略下向きにして使用することのできるシャンプー台に関するものである。
【背景技術】
【０００２】
一般に、理髪店や美容院等における洗髪は、座席の背もたれを倒して顔を仰向きにして行なっている。また、フェイスマスクを顔に当接させて顔に洗浄水等がかからないようにしている。
【特許文献１】特開平１１−２４４０４６号公報
【発明の開示】
【発明が解決しようとする課題】
【０００３】
しかしながら、上記のような座席の背もたれを倒して顔を仰向きにする、いわゆるバックシャンプー式は、専用のリクライニングシートに座らなければならず、ベッドで寝たきりの人や車椅子を使用している人を、リクライニングシートに移し変えるのには大変な労力が必要となる。さらに、専用のリクライニングシートに移し変えてからも、人体を後方に仰向け状態に倒すので、高齢者にとっては、腰や首に負担がかかり、洗髪中に動いたりするとシャワー水や洗剤が顔にはねかかったりする。特に、障害を持った人にとっては恐怖心を抱かせたり、さらには危険性も高い。
【０００４】
また、上記のようなフェイスマスクタイプのものは、顔全体が覆われてしまうので何も見えないし、あるいは透明材料で製作して見えるようになっていても、使用者にとっては息苦しい気分になり、快適なものではない。
【０００５】
本発明は、このような問題を解決するためになされたものであり、楽な姿勢で洗髪等ができ、持ち運びを簡単にして使用場所の制約を少なくすることのできるシャンプー台を提供することを目的とする。
【課題を解決するための手段】
【０００６】
上記目的を達成するため、本発明のシャンプー台は、使用者の略下向きにした顔の周囲が当接する支持縁部の外側に、上記支持縁部と一体に洗浄水等の受け凹部が設けられ、上記支持縁部の内側に下方に開口する開口部が設けられていることを要旨とする。
【発明の効果】
【０００７】
したがって、上記支持縁部に顔の周囲が当接しているので、頭部の重みが支持縁部で受けとめられ、頚部にかかる負担が軽微なものとなり、例えば、車椅子等に座ったままで洗髪等が楽な姿勢で行なうことが可能となる。また、洗浄水が顔の表面に付着することがないので、化粧がくずれたりすることがなく、水が顔につくことをいやがる幼児にとっても好適である。さらに、支持縁部の内側が下方に開口しているので、使用者の視界が確保され快適な気分で洗髪等ができ、同時に、使用者の話し声も聞き取りやすいので介添えの人は使用者の様子を聞きながら、また、会話を交わしながら洗髪をすることができる。支持縁部の外側に洗浄水等の受け凹部が配置されているので、洗浄水等が確実に受け止められ、使用場所の自由度が拡大される。そして、受け凹部に排水管を接続すれば、複数の使用者の洗浄水等が大量になっても、排水に困ることがない。
【０００８】
本発明のシャンプー台において、使用者の肩や背中への液はねを防止する液はね防止壁が略起立した状態で設けられている場合には、洗浄水や洗剤等の液体が使用者の被服に飛び跳ねることがないので、快適な洗髪等ができる。
【０００９】
本発明のシャンプー台において、上記シャンプー台の高さおよび／または傾斜角度を調整できる支持ユニットを備え、シャンプー台の一部と支持ユニットの上部にそれぞれ設けた係合構造部を介してシャンプー台を上記支持ユニットに載置できるよう構成されている場合には、車椅子等に座っている人や立ったままの人などの顔の高さや顔の上下角度に合わせてシャンプー台を、支持ユニットによって、セットすることができ、頚部の負担の減少や顔に洗浄水等が付着するのを確実に防止することができる。そして、使用者の額側が高くなるようなシャンプー台の傾斜角度とすることにより、介添え人の腰などへの負担が軽減されて介護労働が改善される。
【００１０】
上記の作用効果においては、主として洗髪の場合に注目しているが、本発明は、毛染めやパーマがけにも、洗髪の場合と同様な作用効果を得ることができる。
【発明を実施するための最良の形態】
【００１１】
つぎに、本発明のシャンプー台を実施するための最良の形態を説明する。
【実施例１】
【００１２】
図１〜図１０は、本発明のシャンプー台の一実施例を示す。
【００１３】
図１は、シャンプー台１の平面図である。シャンプー台１の内側に、洗髪する人（以下、使用者という）の顔を略下向きにして、顔の周囲が当接する支持縁部２が設けられている。この支持縁部２の上縁の形状は、使用者の顔の周囲に当接するようにやや長円形とされている。図２に示すように、支持縁部２と一体に洗浄水等の受け凹部３が設けられている。上記受け凹部３は、凹溝状の形状とされ、内側の支持縁部２から下方に延びる支持壁部材４と、支持壁部材４に連なって受け凹部３の底部を構成する底部材５と、この底部材５に連なって上方に延びている外壁部材６により構成されている。
【００１４】
支持壁部材４の上端部が支持縁部２になっており、その高さ位置は上記外壁部材６の上端部の方が高い位置に設定されている。これは後述のように、洗髪時の洗浄水等がシャンプー台１から外部に飛散するのを防止するためである。支持壁部材４と底部材５と外壁部材６で構成された凹溝状断面の受け凹部３は、図１に示すように、略馬蹄形のような平面形状とされている。このような馬蹄形のシャンプー台１の一部に開放部７が設けられ、使用者の顔を支持縁部２に当接すると、使用者の頚部がこの開放部７に対応するようになっている。
【００１５】
上記支持壁部材４の内側には、下方に開口している開口部２１が設けられ、この開口部２１は開放部７に連通している。使用者が支持縁部２に顔を当接すると、上記開口部２１を経て下方が見えるようになっている。
【００１６】
上記外壁部材６の上縁部８の開放部７に近い箇所が急に立ち上がって、液はね防止壁９が形成されている。略起立状態の上記液はね防止壁９は、図１に示すように、左右対称の状態で配置され、使用者の肩や背中へ飛び散る洗浄水や洗剤が受け止められ、被服を濡らしたりしないようになっている。このような液はねをより一層確実にするために、封止部材１０が左右の液はね防止壁９，９の間に差し込まれるようになっている。上記封止部材１０は、エラストマーのような弾性材料を厚板状に成形し、その一部に使用者の頚部に合致する略半円形の切欠き部１１が設けてある。この封止部材１０を図３および図９に示すように、両液はね防止壁９の間に差し込むのである。このようにすることにより、洗浄水や洗剤が確実に受け止められて、使用者の背中や肩を濡らすことが防止できる。したがって、上記封止部材１０は、必要に応じて液はね防止壁９の一部を構成する部材とされている。
【００１７】
上記上縁部８の高さは、使用者の耳や目の横側に位置する横側部８ａはその高さは低くしてあり、使用者の額の前側に位置する前側部８ｂはその高さが横側部８ａよりも高くしてある。こうすることにより、使用者の斜め後または横側からの介添え人の手を頭部全体にわたって届きやすくすることができ、洗い残すことのない良好な洗髪ができる。さらに、前側部８ｂによりシャワー水や温水が前方に飛散することを防止できる。
【００１８】
図１に示すように、上記支持縁部２の平面的な形状は、できるだけ多くの使用者の顔にフィットするように、その形状は選定されているのであるが、全ての使用者に首尾よく当接するようにすることは困難である。そこで、図５に示すように、支持縁部２に柔らかくて弾性のある材料で作られた細長いパッド１２を採用するのが望ましい。上記パッド１２は通水性のないスポンジ材で作られ、支持縁部２の全域にわたって取り付けられる。パッド１２と支持縁部２との一体性をよくするために、支持縁部２に薄い挿入部１３が形成され、パッド１２に差し込むようになっている。なお、図示していないが、パッド１２の断面形状をかえて、子供のように顔の小さな使用者に適応するようにすることもできる。
【００１９】
上記シャンプー台１の構成材料は、陶器，軽合金，合成樹脂等が用いられる。製作がしやすくて軽量であることからすると、軽合金または合成樹脂が適している。この実施例では合成樹脂に強化繊維を混入したＦＲＰが使用されている。
【００２０】
上記受け凹部３の底部に液体の排出口１４が７個設けてある。このように排出口１４を複数個にするのは、シャンプー台１がどの方向に傾斜していても、完全に排水ができるようにするためである。図６に示すように、各排水口１４に接続された排水管１５を介して集合管１６に連通し、集合管１６に排水ホース１７が接続されている。
【００２１】
また、図７は、上記のような排水管１５や集合管１６をシャンプー台１の下部に内蔵した例である。すなわち、受け凹部３の下側に馬蹄形のリブ１８を設け、その内部に排水管１５や集合管１６が配置されている。
【００２２】
図８は、頭髪やその他のごみ等が流出するのを防止するためのフィルタ構造部を示す断面図である。排水口１４に設けた段部１９に細かなメッシュのフィルタ網２０がはめ込んであり、上記フィルタ網２０を外して頭髪等を取り除いたり交換したりすることができるようになっている。
【００２３】
図１０は、シャンプー台１が載置される支持ユニット２３を示す斜視図である。支持ユニット２３は、シャンプー台１の高さおよび／または傾斜角度を調整するとともに、病室等で療養中の使用者が手近なところでシャンプー台１を使用できるようにするために準備されている。
【００２４】
上記支持ユニット２３の構造、とくに、高さおよび／または傾斜角度を調整する構造としては、揺動アームを用いて高さ調整を行なったり、揺動板の揺動角で傾斜角度を調整したりするものなど種々な構造が採用できる。図１０に示した例は、支柱の伸縮で高さ調整を行ない、支持アームの揺動で傾斜角度を調整する形式である。
【００２５】
基板２４の中央部に固定筒２５が起立した状態で設けられ、その内側に摺動可能な状態で進退筒２６がはめ込んである。上記固定筒２５の外部から貫通した状態でねじ込んだ高さ調整ボルト２７の先端部が進退筒２６の外周面に圧接されて、高さ調整のなされた進退筒２６の位置が固定される。進退筒２６の上端にブロック部材２８が固定され、回動軸２９がブロック部材２８を回動可能な状態で貫通している。ブロック部材２８の外部から貫通した状態でねじ込んだ角度調整ボルト３０の先端部が回動軸２９の外周面に圧接されて、角度調整のなされた回動軸２９の位置が固定される。
【００２６】
上記回動軸２９に、ブラケット３１，３１を介して支持バー３２，３２が平行な状態で結合されている。上記支持バー３２，３２の各端部に係合構造部３３，３３，３３，３３が設けられている。係合構造部３３の構造は、シャンプー台１が支持ユニット２３から容易に外れないものであれば良く、この例では係合ピン３４とされている。係合構造部はシャンプー台１の一部にも設けられているもので、それは、図３，図９に示すように、符号３５で示され、シャンプー台１の下方に開口する係合穴３６とされている。
【００２７】
シャンプー台１を支持ユニット２３に載置するときには、シャンプー台１を支持バー３２の上方から降ろして、係合ピン３４が相対的に係合穴３６内にはまり込むようにする。その後、使用者に適したシャンプー台１の高さを高さ調整ボルト２７で設定し、また、シャンプー台１の角度を角度調整ボルト３０で設定する。
【００２８】
洗髪中に使用者の頭部が動かないようにするために、使用者がつかまる持ち手部材３７が進退筒２６に溶接されている。このような持ち手部材３７により、使用者の頭部が動くことなく洗髪でき、また、使用者の肘掛けとして使用することもできるので、高齢者や病気療養中の人への体力的な負担を軽減することができる。
【００２９】
そして、支持バー３２にはシャワーヘッドを置いたり引っ掛けたりするヘッド係止部材３８が結合されている。なお、図１０には、上記排水ホース１７を固定筒２５や進退筒２６に沿わせて配置することを、２点鎖線で図示してある。また、図示していないが、シャワーヘッドに接続された給水ホースも、排水ホース１７と同様に配置されている。
【００３０】
上記実施例の作用効果を列記すると、つぎのとおりである。
【００３１】
上記支持縁部２に顔の周囲が当接しているので、頭部の重みが支持縁部２で受けとめられ、頚部にかかる負担が軽微なものとなり、例えば、車椅子等に座ったままで洗髪等が楽な姿勢で行なうことが可能となる。また、洗浄水が顔の表面に付着することがないので、化粧がくずれたりすることがなく、水が顔につくことをいやがる幼児にとっても好適である。さらに、支持縁部２の内側が開口部２１により下方に開口しているので、使用者の視界が確保され快適な気分で洗髪等ができ、同時に、使用者の話し声も聞き取りやすいので介添えの人は使用者の様子を聞きながら、また、会話を交わしながら洗髪をすることができる。支持縁部２の外側に洗浄水等の受け凹部３が配置されているので、洗浄水等が確実に受け止められ、使用場所の自由度が拡大される。そして、受け凹部３に排水管１５，集合管１６および排水ホース１７を接続すれば、複数の使用者の洗浄水等が大量になっても、排水に困ることがない。
【００３２】
さらに、内側の支持壁部材４の高さよりも外側の外壁部材６の高さの方が高くしてあるので、シャワー温水や洗剤などがシャンプー台１の外側に飛散することが確実に防止でき、病室や家庭などでの洗髪等が簡単に行なうことが可能となる。
【００３３】
使用者の肩や背中へ洗浄水や洗剤液が飛散することが、略起立した液はね防止壁９で防止されるので、洗浄水や洗剤等の液体が使用者の被服に飛び跳ねることがなく、快適な洗髪等ができる。
【００３４】
上記シャンプー台１の高さおよび／または傾斜角度を調整できる支持ユニット２３を備え、シャンプー台１の一部と支持ユニット２３の上部にそれぞれ設けた係合構造部３３，３５を介してシャンプー台１を上記支持ユニット２３に載置できるよう構成されているため、車椅子等に座っている人や立ったままの人などの顔の高さや顔の上下角度に合わせてシャンプー台１を、支持ユニット２３によって、セットすることができ、頚部の負担の減少や顔に洗浄水等が付着するのを確実に防止することができる。そして、使用者の額側が高くなるようなシャンプー台１の傾斜角度とすることにより、介添え人の腰などへの負担が軽減されて介護労働が改善される。
【００３５】
上記実施例では、図１に示すように、開放部７を設けることにより、支持縁部２も略馬蹄形になっているが、この支持縁部２を開放部７の箇所で連続させて、無端状の略楕円形の支持縁部２とすることもできる。
【産業上の利用可能性】
【００３６】
上記のように使用者の顔の周囲が支持縁部に当接して、楽な姿勢で洗髪や毛染めあるいはパーマ当てなど広く活用することができる。
【図面の簡単な説明】
【００３７】
【図１】シャンプー台の平面図である。
【図２】図１の（２）−（２）断面図である。
【図３】シャンプー台の一部を破断した側面図である。
【図４】封止部材の斜視図である。
【図５】パッドの取り付け状態を示す断面図である。
【図６】排水構造を示す側面図である。
【図７】他の排水構造を示す側面図である。
【図８】フィルタ網の取り付け状態を示す側面図である。
【図９】シャンプー台の一部を破断した正面図である。
【図１０】支持ユニットの全体構造を示す斜視図である。
【符号の説明】
【００３８】
１    シャンプー台
２    支持縁部
３    受け凹部
４    支持壁部材
５    底部材
６    外壁部材
７    開放部
８    上縁部
８ａ  横側部
８ｂ  前側部
９    液はね防止壁
１０  封止部材
１１  切欠き部
１２  パッド
１３  挿入部
１４  排出口
１５  排水管
１６  集合管
１７  排水ホース
１８  リブ
１９  段部
２０  フィルタ網
２１  開口部
２３  支持ユニット
２４  基板
２５  固定筒
２６  進退筒
２７  高さ調整ボルト
２８  ブロック部材
２９  回動軸
３０  角度調整ボルト
３１  ブラケット
３２  支持バー
３３  係合構造部
３４  係合ピン
３５  係合構造部
３６  係合穴
３７  持ち手部材
３８  ヘッド係止部材
【図１】
2006055485.tif 000003
【図２】
2006055485.tif 000004
【図３】
2006055485.tif 000005
【図４】
2006055485.tif 000006
【図５】
2006055485.tif 000007
【図６】
2006055485.tif 000008
【図７】
2006055485.tif 000009
【図８】
2006055485.tif 000010
【図９】
2006055485.tif 000011
【図１０】
2006055485.tif 000012